(57)【要約】      （修正有）【課題】自動的に水量を制御でき、及び、自動的に食材加熱時間を制御できる自動食品調理器を提供する。【解決手段】自動食品調理器は、機体に熱水供給ユニット、食品加熱ユニット、及び制御ユニットが整合されている。熱水供給ユニットは、貯水タンク、加熱装置及び水位センサを有している。食品加熱ユニットは、調理トレイを支持するホルダと加熱器を有する。制御ユニットは、機体パネル上の複数のタッチキーを有する。【選択図】図１
0003158353.tif 000002
【実用新案登録請求の範囲】
【請求項１】
ベース、ケース、背板及び上蓋からなる機体と、
該ケース内に設置されて調理に必要な熱水を供給する熱水供給ユニットと、
該ベース上に設置され、調理トレイが置かれるホルダと、該ホルダ下方の加熱器とを包含する食品加熱ユニットと、
電源供給モジュール、制御回路、及び熱水供給量及び食品加熱時間等の調理条件を設定するための操作キーを具えた制御ユニットと、
を包含したことを特徴とする、自動食品調理器。
【請求項２】
請求項１記載の自動食品調理器において、該機体の該ベース及び該機体の中間に調理トレイを設置するための操作空間が形成され、該ケース正面にタッチパネルが設けられ、該ケースの該操作空間の後方位置に複数の放熱スロットが設けられ、後方のファンにより熱気の排出が加速されることを特徴とする、自動食品調理器。
【請求項３】
請求項１記載の自動食品調理器において、該熱水供給ユニットに貯水タンク、加熱装置及び水位センサが設けられたことを特徴とする、自動食品調理器。
【請求項４】
請求項３記載の自動食品調理器において、該加熱装置は貯水タンク内部に設置され、該水位センサは貯水タンク内部に設置された浮筒と、貯水タンクカバーの上方に設置された上下の水位マイクロスイッチを具えたことを特徴とする、自動食品調理器。
【請求項５】
請求項１記載の自動食品調理器において、該制御ユニットに操作状態を音声アラーム表示するブザーが設けられたことを特徴とする、自動食品調理器。
【考案の詳細な説明】
【技術分野】
【０００１】
本考案は一種の食品調理器に係り、特に、自動的に水量を制御でき、及び自動的に食品加熱時間を制御できる自動食品調理器に関する。
【背景技術】
【０００２】
女性の就業率が大幅にアップし核家族が増加するにつれ、現代人の飲食習慣はすでに外食化されつつある。栄養面から言うと、ビュッフェスタイルは比較的多くの食品から消費者が選ぶことができ、このため良好な外食方式である。しかし、一般のビュッフェスタイルのレストランは味付けのために多くの調味料を添加し、人工だしや調理用油も多量に使用し、食べれば食べるほど、身体への負担が増す。また、レストランの多くは商業エリアに多く存在し、更に特定の時間しか営業しないため、一般大衆の飲食要求を満足させられない。
【０００３】
このため、家族の健康を維持し、お金を節約し、或いは外食の不便を解消するため、多くの専業主婦、職業婦人或いは男性は自炊を選択する。しかし、一般に自炊は面倒であると認識されており、４人に２人の女性が家事のなかで最も負担であるとしている。その原因は、調理前に多くの食材を用意しなければならないこと、及び、調理過程で、食品によって火力を調整しなければならず、調理の火力を適切に掌握、調整できなければ、食品の調理結果に影響が生じることにある。
【考案の概要】
【考案が解決しようとする課題】
【０００４】
本考案の主要な目的は、自動的に水量を制御でき、及び、自動的に食材加熱時間を制御できる自動食品調理器を提供することにある。
【課題を解決するための手段】
【０００５】
本考案の自動食品調理器は、機体に熱水供給ユニット、食品加熱ユニット、及び制御ユニットが整合されている。該熱水供給ユニットは、貯水タンク、加熱装置及び水位センサを有している。該食品加熱ユニットは、調理トレイを支持するホルダと加熱器を有する。該制御ユニットは、機体パネル上の複数のタッチキーを有し、これにより使用者は熱水の給水量と、食品加熱時間等の調理条件を設定できる。
【考案の効果】
【０００６】
使用者が食品に応じて、その必要とする調理条件を機体パネル上で設定して本考案が起動後、設定された給水量の熱水を調理トレイに注入し、並びに調理トレイに対して設定された加熱時間まで加熱し、食品の加熱調理を簡単、便利とする。
【図面の簡単な説明】
【０００７】
【図１】本考案の自動食品調理器の正面構造分解図である。
【図２】本考案の自動食品調理器の背面構造分解図である。
【図３】本考案の自動食品調理器のケース構造表示図である。
【図４】本考案の自動食品調理器の熱水供給ユニットの構造分解図である。
【図５】本考案の自動食品調理器の食品加熱ユニットの構造分解図である。
【図６】本考案の自動食品調理器の制御ユニットの構造表示図である。
【考案を実施するための形態】
【０００８】
本考案の特徴は、添付の図面及び実施例の詳細な説明を参照して明確に理解される。
【０００９】
図１から図６を参照されたい。本考案の自動食品調理器は、機体、熱水供給ユニット、食品加熱ユニット及び制御ユニットを包含する。
【００１０】
該機体はベース１１、ケース１２、背板１３及び上蓋１４で構成され、そのうち、ベース１１及びケース１２の中間に、操作空間が形成されて、調理トレイを置くことができる。ケース１２の正面にはタッチパネル１５が設けられ、ケース１２の、操作空間の後方の位置に、若干の放熱スロット１６が設けられ、後方のファン１７により熱気排出が加速される。
【００１１】
該熱水供給ユニットには貯水タンク２１、加熱装置２２及び水位センサ２３が設けられている。図４に示されるように、加熱装置２２は貯水タンク２１内部に設けられて、貯水タンク２１内部の貯水に対して加熱を行ない、該水位センサ２３は貯水タンク２１内部に設けられた浮筒２３１、及び貯水タンクカバー２１１の上方に設けられた上下の水位マイクロスイッチ２３２、２３３を具え、該浮筒２３１が上下の水位マイクロスイッチ２３２、２３３に接触しそれらを駆動することにより、貯水タンク２１内部の貯水が満水位或いは低水位に達したことを知ることができ、並びに機体１０の上蓋１４部分の給水パイプ２４を利用して水を貯水タンク２１中に補充できる。
【００１２】
該食品加熱ユニットは調理トレイを固定するためのホルダ３１、及びホルダ３１下方の電磁炉のような加熱器３２を有する。
【００１３】
該制御ユニットは該ケース１２内部に設けられる電源供給モジュール４１、制御回路４２、及び該タッチパネル１５に設けられて使用者が熱水供給量、及び食品加熱時間等の調理条件を設定するのに用いる操作キー４３を具え、別に操作状態のアラーム音声表示を行うブザー４４が設けられている。
【００１４】
自動食品調理器を操作する時は、ただ食品と調味料を調理トレイに入れ、さらに、食品を入れた調理トレイを確実にホルダ３１上に置き、並びにタッチパネル１５上の操作キー４３により食品に応じた調理条件を設定する。起動されると、該自動食品調理器は自動的に熱水を調理トレイ中に注入し、並びに調理トレイに対して設定された加熱時間加熱を行ない、こうして調理動作を完成し、食品の加熱調理動作をさらに便利とする。
【００１５】
自動食品調理器に設けられたブザー４４は操作状態の音声アラーム表示を発生し、これにより、操作者はその他の仕事を行うことができ、一旦設定された調理動作が完了すると、音声を発生することで操作者に調理の完成を通知する。
【００１６】
本考案の技術内容と技術特徴は以上のように開示されたが、本考案の属する技術を熟知した者であれば、本考案の開示の内容に基づき、本考案の創作精神に背かずに各種の変更或いは修飾を行うことができる。ゆえに本考案の保護範囲は実施例の記載に限定されず、本考案に基づきなし得る交換及び修飾は、いずれも本考案の権利請求範囲に属するものとする。
【符号の説明】
【００１７】
１１  ベース
１２  ケース
１３  背板
１４  上蓋
１５  タッチパネル
１６  放熱スロット
１７  ファン
２１  貯水タンク
２１１  貯水タンクカバー
２２  加熱装置
２３  水位センサ
２３１  浮筒
２３２  上水位マイクロスイッチ
２３３  下水位マイクロスイッチ
２４  給水パイプ
３１  ホルダ
３２  加熱器
４１  電源供給モジュール
４２  制御回路
４３  操作キー
４４  ブザー
【図１】
0003158353.tif 000003
【図２】
0003158353.tif 000004
【図３】
0003158353.tif 000005
【図４】
0003158353.tif 000006
【図５】
0003158353.tif 000007
【図６】
0003158353.tif 000008